(57)【要約】【課題】  従来の技術は、ローソクを使用した野外キャンプ等用灯具であり、固形燃料を使用してローソクの炎（灯り）を得ることのできるものではない。また、空気の対流作用により燭台のローソクの炎をホヤ内で首振り回転させるもので、これもまた固形燃料を使用してローソクの炎（灯り）を得ることのできるものではない。【解決手段】  内面を略円錐台形状に形成し、上面及び下面を開口した透明素材による調整器本体に、空気を内部に流入させるための通孔あるいは切欠孔を設けると共に、空気流入量を調整するための調整具を設け、ベンチュリ効果により、固形燃料の炎を調整する調整器で、灯りとして使用することを特徴とする固形燃料用灯り調整器。【選択図】図１
2017194256.tif 000002
【特許請求の範囲】
【請求項１】
内面を略円錐台形状に形成し、上面及び下面を開口した透明素材による調整器本体に、空気を内部に流入させるための通孔あるいは切欠孔を設けると共に、空気流入量を調整するための調整具を設け、ベンチュリ効果により、固形燃料の炎を調整する調整器で、灯りとして使用することを特徴とする固形燃料用灯り調整器。
【請求項２】
調整具が、リング状のベルトに調整用の孔あるいは切欠部を設けてあり、左右移動可能に形成してなることを特徴とする請求項１記載の固形燃料用灯り調整器。
【請求項３】
調整具が、孔に着脱自在に取り付けるピンであることを特徴とする請求項１又は２記載の固形燃料用灯り調整器。
【発明の詳細な説明】
【技術分野】
【０００１】  本発明は、固形燃料である特にアルコール系固形燃料の火を灯りとして調整を行うことのできる固形燃料用灯り調整器に関するものである。
【背景技術】
【０００２】  従来の技術として、ペットボトルのボトルキャップを用い又はこれと同じにネジ切りして成るキャップを設け、これにローソクを立てるための支持棒を立設すると共に、前記キャップに固定手段を設けて成る。多く場合、前記固定手段はオネジである。前記オネジは支持部材を介して設置することができる野外キャンプ等用灯具がある。（特許文献１参照）【０００３】  また、別の従来技術として、ローソクを立てるべき燭台と該燭台の上面に着脱自在に冠着されるべきホヤからなるテーブルキャンドルにおいて、燭台の底部からホヤに囲われる空間内に向かって外部空間に通ずる空気導入口を複数設けると共に、該燭台の上面に、空気導入口の上面開口部に合致すべき楕円状の複数の弁穴を設け且つ該弁穴の上部に空気の吹込口を一定方向に開口させたフードを設けたリング状の空気調整弁を回転自在に装着してホヤ内の上昇気流によって生じる低気圧と外部の気圧差により外部の空気が空気導入口からホヤ内に向かって一定方向で吸入されるように構成し、且つ空気調整弁を回転させることにより空気の吸入量を調節可能にしたことを特徴とするテーブルキャンドルの空気吸入機構がある。（特許文献２参照）
【先行技術文献】
【特許文献】
【０００４】
【特許文献１】  特開２００３−３４６５５２号公報
【特許文献２】  登録実用新案第３０４８２３４号公報
【発明の概要】
【発明が解決しようとする課題】
【０００５】  前記前者の技術においては、ローソクを使用した野外キャンプ等用灯具であり、本発明のような固形燃料を使用してローソクの炎（灯り）を得ることのできるものではない。【０００６】  また、前記後者においても、空気の対流作用により燭台のローソクの炎をホヤ内で首振り回転させるもので、これもまた本発明のような固形燃料を使用してローソクの炎（灯り）を得ることのできるものではない。【０００７】  本発明は、このような従来の構成が有する問題を解決しようとするもので、ベンチュリ効果を有すると共に、調整具により火をローソクの炎位に調整できる固形燃料用灯り調整器を提供することを目的とする。
【課題を解決するための手段】
【０００８】  本発明は上記問題点を達成するために、内面を略円錐台形状に形成し、上面及び下面を開口した透明素材による調整器本体に、空気を内部に流入させるための通孔あるいは切欠孔を設けると共に、空気流入量を調整するための調整具を設け、ベンチュリ効果により、固形燃料の炎を調整する調整器で、灯りとして使用すること。調整具が、リング状のベルトに調整用の孔あるいは切欠部を設けてあり、左右移動可能に形成してなること。調整具が、孔に着脱自在に取り付けるピンであることを特徴とする。
【発明の効果】
【０００９】１）、略円錐台形状に形成した透明素材による調整器本体内に、例えばアルコール系固形    燃料（円柱形）を入れることによりベンチュリ効果にて炎（灯り）を強くすることが    でき、大きな灯りが欲しい場合に有効である。
２）、調整具により空気量を調整することにより、炎（灯り）を強くしたり弱くすること    ができ、必要に応じてローソクの炎に近く調整でき、灯りとして長時間使用できる。
３）、特に、アルコール系固形燃料を使用すれば、家庭内でも一酸化炭素等の危険が少な    く強い灯りや弱い灯りを調整できるため、色々なシーンに使用できる。
【図面の簡単な説明】
【００１０】
【図１】  本発明の第１実施例を示す固形燃料用灯り調整器の調整器本体縦断正面図。
【図２】  本発明の第１実施例を示す固形燃料用灯り調整器の調整器本体平面図。
【図３】  本発明の第１実施例を示す固形燃料用灯り調整器の調整具の正面図。
【図４】  本発明の第１実施例を示す固形燃料用灯り調整器の調整具の平面図。
【図５】  本発明の第１実施例を示す固形燃料用灯り調整器の使用状態図。
【図６】  本発明の第２実施例を示す固形燃料用灯り調整器の調整器本体縦断正面図。
【図７】  本発明の第２実施例を示す固形燃料用灯り調整器の調整器本体の平面図。
【図８】  本発明の第２実施例を示す固形燃料用灯り調整器の調整具の正面図。
【図９】  本発明の第２実施例を示す固形燃料用灯り調整器の調整具の平面図。
【図１０】  本発明の第２実施例を示す固形燃料用灯り調整器の正面図。
【図１１】  本発明の第３実施例を示す固形燃料用灯り調整器の一部縦断正面図。
【発明を実施するための形態】
【実施例１】
【００１１】  固形燃料用灯り調整器１は、調整器本体２と調整具３とから構成される。
調整器本体２は、耐熱ガラス等の透明素材による上面及び下面を開口し、内面を略円錐台形状に形成したもので、下部周囲に空気を内部に流入させるための通孔２ａ（この実施例の場合、４箇所）を設けてある。
なお、必要に応じて蓋２ｂ（材質は特に限定しない）を設けてある。【００１２】  調整具３は、帯板を折曲したリング状のベルト体３ａに通孔２ａに対応する調整用の孔３ｂ（この実施例の場合、４箇所）を設けると共に、掴み部３ｃを突設してある。【００１３】  つぎに、固形燃料用灯り調整器１の使用例について説明します。
例えば、テーブルＴ上の所要位置に、アルコール固形燃料ＡＫ（主にブルー色で旅館等で、小さな鍋料理に使用されており、透明なフィルムで包まれ、アルミ箔のカップが付いている形態）を置き、その上方より調整器本体２を置き、調整器本体２の通孔２ａの位置に調整具３を取り付ける。
この状態で、アルコール固形燃料ＡＫの頂面を着火させることにより、孔３ｂ・通孔２ａより空気Ｋを流入させ、上昇させるものである。
この時、通孔２ｃ付近の容積ＹＳを大きく、上部の容積ＹＳ１（隙間）は小さくすることによりベンチュリ効果（流体の流れを絞ることによって、流速を増加させて、低速部にくらべ低い圧力を発生させる）を有し、調整具３の掴み部３ｃを左右に移動させ空気の流入量を調整できるものである。
必要に応じて炎の強弱を調整し、ローソクのような炎も可能となる。
【実施例２】
【００１４】  固形燃料用灯り調整器２１は調整器本体２２と調整具２３とから構成される。
調整器本体２２は、前記と同様な材質による上面及び下面を開口し、内面を少し湾曲し、底面に略円錐台形状に形成し、下部周囲に空気を内部に流入させるための底面を開放した切欠孔２２ａ（この実施例の場合、４箇所）を設けてある。【００１５】  調整具２３は、前記調整器本体２２の下部と同形を少し大径にした受片２３ｂを周設したベルト体２３ａに、切欠孔２２ａに対応する上面を開放した切欠部２３ｃ（この実施例の場合、４箇所）を設けると共に、掴み部２３ｄを突設してある。【００１６】  この固形燃料用灯り調整器２１の使用時において、調整器本体２２と調整具２３とを一体的に受片２２ｂ・２３ｂで重合させることができセッティングし易いものである。
【実施例３】
【００１７】  固形燃料用灯り調整器３１は、前記と同様な素材による上面及び下面を開口し、内面を少し湾曲した略円錐台形状に形成し、下部周囲に空気を内部に流入させるための通孔３２ａ（この実施例の場合、４箇所）を設けてある調整器本体３２と通孔３２ａ−−に着脱自在に取り付ける砲弾形の調整具３３（この実施例の場合、４箇所）とから構成される。【００１８】  この固形燃料用灯り調整器３１は、４つの調整具３３を取り外したり、少し入れたりして空気量を調整でき、特に屋外で風の方向で空気量が変化する場合の微調整に有効である。【００１９】  上記各実施例において、大きさ等は使用する固形燃料に対応すればよく使用も室内・室外等特に限定するものではない。
【産業上の利用の可能性】
【００２０】  固形燃料（特にアルコール固形燃料）の炎を自在にコントロールできることにより、明るい灯りやローソクのような小さな灯り等を作り出すことができ、色々なシーンに対応できると共に、今まで使用されなかった家庭内やアウトドアに新しい市場が見えてくる。
【符号の説明】
【００２１】１−−−−−固形燃料用灯り調整器
２−−−−−調整器本体
２ａ−−−−通孔
３−−−−−調整具
３ａ−−−−ベルト体
３ｂ−−−−孔
ＡＫ−−−−固形燃料
【図１】
2017194256.tif 000003
【図２】
2017194256.tif 000004
【図３】
2017194256.tif 000005
【図４】
2017194256.tif 000006
【図５】
2017194256.tif 000007
【図６】
2017194256.tif 000008
【図７】
2017194256.tif 000009
【図８】
2017194256.tif 000010
【図９】
2017194256.tif 000011
【図１０】
2017194256.tif 000012
【図１１】
2017194256.tif 000013